(57)【特許請求の範囲】
【請求項１】
複数の構成部品が実装されるメインボードと、
このメインボードに固定された、記憶装置と拡張カードとを収納可能なホルダーとを含む携帯用コンピュータであって、
前記ホルダーは、前記メインボードに固定される装着部と、前記記憶装置を収納する第１収納部と、前記拡張カードを収納する第２収納部とを備え、
前記第１収納部は、前記記憶装置を収納する空間を囲むように前記装着部の一方の側から水平方向に突出した、前記記憶装置の着脱をガイドする一対のアームを備え、
前記第２収納部は、前記装着部の他方の側から水平方向に突出した、前記拡張カードを支える固定台と、この固定台に前記拡張カードを固定する固定具とを備えることを特徴とする携帯用コンピュータ。
【請求項２】
前記メインボードは、前記記憶装置との電気的な連結を得る第１コネクタと、前記拡張カードとの電気的な連結を得る第２コネクタとが取り付けられ、
前記記憶装置は、前記第１収納部に収納される際に前記第１コネクタと電気的に連結され、
前記拡張カードは、前記第２収納部に固定される際に前記第２コネクタと電気的に連結されることを特徴とする請求項１記載の携帯用コンピュータ。
【請求項３】
前記第２コネクタは、前記メインボードの上面に取り付けられることを特徴とする請求項２記載の携帯用コンピュータ。
【請求項４】
前記固定具は、ねじホールが形成された金属材質をインサート成形して形成させた挿入体を備えていることを特徴とする請求項１記載の携帯用コンピュータ。
【請求項５】
前記第１コネクタは前記メインボードの底面に電気的に連結され、取付用ブラケットにより前記メインボードに固定されることを特徴とする請求項２記載の携帯用コンピュータ。
【請求項６】
前記メインボードに形成されて締結部材が通過する第１貫通ホールが、前記ホルダーに形成される装着部の第２貫通ホールと前記第１コネクタが固定される取付用ブラケットの第３貫通ホールとに一直線上に整列されることを特徴とする請求項５記載の携帯用コンピュータ。
【請求項７】
前記締結部材は、前記第１コネクタ及びホルダーを整列及び固定するように前記第１、第２及び第３貫通ホールを通過して取り付けられるボルトであることを特徴とする請求項６記載の携帯用コンピュータ。
【請求項８】
前記記憶装置が電気的に連結される第１コネクタの一部分は、前記メインボードの面に整列させるための上部表面を有することを特徴とする請求項５記載の携帯用コンピュータ。
【請求項９】
前記ホルダーの前記他方側の面は前記一方側の面と対向した面であり、そこに前記拡張カードが整列される固定部を有し、前記第１コネクタが前記メインボードの上下いずれか一方側の面に装着され、前記第２コネクタが前記メインボードの他方側の面に装着されることを特徴とする請求項２記載の携帯用コンピュータ。
【請求項１０】
前記記憶装置は、ハードディスクドライブ、フロッピー（登録商標）ディスクドライブ、バッテリー、ＣＤドライブのいずれか一つであることを特徴とする請求項１記載の携帯用コンピュータ。
【請求項１１】
前記拡張カードは、通信カードであることを特徴とする請求項１記載の携帯用コンピュータ。
【請求項１２】
前記通信カードは、モデム、ラン、無線ラン又はＢｌｕｅｔｏｏｔｈモジュールのいずれか一つであることを特徴とする請求項１１記載の携帯用コンピュータ。
【請求項１３】
本体と、
該本体に回転可能に連結され、各種情報を出力するディスプレイユニットと、
前記本体に内蔵されて前記情報を処理するための各種回路部品が実装され、前記ディスプレイユニットに電気的信号を与えるメインボードと、
使用者の命令によって前記メインボードに制御信号を入力する入力装置と、
前記メインボードに固定された、記憶装置からなる第１周辺装置と拡張カードからなる第２周辺装置とを収納可能なホルダーとを含む携帯用コンピュータであって、
前記ホルダーは、前記メインボードに固定される装着部と、前記第１周辺装置を収納する第１収納部と、前記第２周辺装置を収納する第２収納部とを備え、
前記第１収納部は、前記第１周辺装置を収納する空間を囲むように前記装着部の一方の側から水平方向に突出した、前記第１周辺装置の着脱をガイドする一対のアームを備え、
前記第２収納部は、前記装着部の他方の側から水平方向に突出した、前記第２周辺装置を支える固定台と、この固定台に前記第２周辺装置を固定する固定具とを備えることを特徴とする携帯用コンピュータ。
【請求項１４】
前記第１周辺装置は、前記メインボードの下側の面に固定される第１コネクタに電気的に連結され、前記第２収納装置は、前記メインボードの上側の面に固定される第２コネクタに電気的に連結されることを特徴とする請求項１３記載の携帯用コンピュータ。
【請求項１５】
前記メインボードに形成されて締結部材が通過する第１貫通ホールが、前記ホルダーに形成される装着部の第２貫通ホールと前記第１コネクタが固定される取付用ブラケットの第３貫通ホールとに一直線上に整列されることを特徴とする請求項１４記載の携帯用コンピュータ。
【請求項１６】
前記第１周辺装置が電気的に連結される第１コネクタは、前記メインボードの面に固定される面が形成されていることを特徴とする請求項１５記載の携帯用コンピュータ。
【請求項１７】
前記第１周辺装置が記憶装置であり、ハードディスクドライブ、フロッピーディスクドライブ、バッテリー及びＣＤドライブのいずれか一つであって、前記第２周辺装置が拡張カードの一種である通信カードであって、その通信カードは、モデム、ラン、無線ラン又はＢｌｕｅｔｏｏｔｈモジュールのいずれか一つであることを特徴とする請求項１６記載の携帯用コンピュータ。
【請求項１８】
携帯用コンピュータの本体内のメインボードに固定される、記憶装置と拡張カードとを収納可能なコンピュータ用周辺装置装着ホルダーであって、
前記メインボードに固定される装着部と、前記記憶装置を収納する第１収納部と、前記拡張カードを収納する第２収納部とを備え、
前記第１収納部は、前記記憶装置を収納する空間を囲むように前記装着部の一方の側から水平方向に突出した、前記記憶装置の着脱をガイドする一対のアームを備え、
前記第２収納部は、前記装着部の他方の側から水平方向に突出した、前記拡張カードを支える固定台と、この固定台に前記拡張カードを固定する固定具とを備えることを特徴とするコンピュータ用周辺装置装着ホルダー。
【請求項１９】
前記記憶装置は、前記第１収納部に収納される際に、前記メインボードに取り付けられた第１コネクタと電気的に連結され、
前記拡張カードは、前記第２収納部に固定される際に、前記メインボードに取り付けられた第２コネクタと電気的に連結されることを特徴とする請求項１８記載のコンピュータ用周辺装置装着ホルダー。
【請求項２０】
前記固定具は、ねじホールが形成された金属材質をインサート成形して形成させた挿入体を備えていることを特徴とする請求項１８記載のコンピュータ用周辺装置装着ホルダー。
【請求項２１】
前記記憶装置は、ハードディスクドライブ、フロッピーディスクドライブ、バッテリー、ＣＤドライブのいずれか一つであることを特徴とする請求項１８記載のコンピュータ用周辺装置装着ホルダー。
【請求項２２】
前記拡張カードは、通信カードであることを特徴とする請求項１８記載のコンピュータ用周辺装置装着ホルダー。
【請求項２３】
前記通信カードは、モデム、ラン、無線ラン又はＢｌｕｅｔｏｏｔｈモジュールのいずれか一つであることを特徴とする請求項２２記載のコンピュータ用周辺装置装着ホルダー。
【発明の詳細な説明】
【０００１】
【発明の属する技術分野】
本発明は、コンピュータ用周辺装置を装着するためのホルダー及びそのホルダーを備えた携帯用コンピュータに係るもので、詳細には、各周辺装置とコネクタとを正確に締結し得る、コンピュータ用周辺装置装着ホルダー及びそのホルダーを備えた携帯用コンピュータに関するものである。
【０００２】
【従来の技術】
一般に、コンピュータは、家庭や会社で机の上に置いた状態で使用されるデスクトップコンピュータと、携帯して移動中でも使用可能な携帯用コンピュータとに分類される。携帯用コンピュータの場合は、容積が小さく、携帯が簡便で、本体にバッテリーが内蔵され、移動中や外部電源の供給されない地域でも使用し得るという利点がある。また、近来は、容量を増大し、無線通信を行い得るようになって需要に伴う技術の発展が益々進んでいる。
【０００３】
このような従来の携帯用コンピュータは、図１０に示したように、各種情報を入力するキーボード１０２が本体１０４のデッキケース１０６の上面部に形成され、各種電子回路部品が実装されたメインボード１１０が本体１０４の下部ケース１０８に装着され、かつ、本体１０４に開閉可能にヒンジ係合されるカバー１１２に各種の情報が表示されるＬＣＤ１１４が装着されている。また、ハードディスクドライブ１１６が着脱可能に収納されるホルダー１１８が本体１０４の下部ケース１０８の底面に結合されて、本体１０４の一側面にハードディスクドライブ１１６が挿入される開口１２０が形成されている。
【０００４】
また、ハードディスクドライブ１１６に電気的に接続されるコネクタ１２２がメインボード１１０の装着されている。
【０００５】
【発明が解決しようとする課題】
このような従来の携帯用コンピュータにおいては、ハードディスクドライブ１１６が着脱可能に収納されるホルダー１１８が本体１０４の下部ケース１０８に結合され、また、ハードディスクドライブ１１６に接続されるコネクタ１２２がメインボード１１０に装着されるため、組立過程でメインボード１１０またはホルダー１１８の装着位置が正確でないと、ハードディスクドライブ１１６とコネクタ１２２との結合が困難になる。ハードディスクドライブ１１６とコネクタ１２２とを無理に結合させと、ハードディスクドライブ１１６及びコネクタ１２２が損傷する恐れがあるという不都合な点があった。
【０００６】
本発明は、このような従来の課題に鑑みてなされたもので、周辺装置が装着されるホルダーと周辺装置が接続されるコネクタとをメインボードに一体に締結させることで、ホルダー及びコネクタの位置合わせを正確に行い得る、コンピュータ用周辺装置装着ホルダー及びそのホルダーを備えた携帯用コンピュータを提供することを目的とする。
【０００７】
本発明の他の目的は、周辺装置が装着されるホルダーに拡張カードを取り付けることで、組立作業を簡便に行い、メインボードの空間活用度を増大し得る、携帯用コンピュータを提供することである。
【０００８】
本発明のさらに他の目的は、拡張カードをメインボードとは別の固定台を利用して取り付けることで、組立作業が簡便でメインボードの空間活用度を増大し得る携帯用コンピュータを提供することである。
【０００９】
【課題を解決するための手段】
このような目的を達成するため、本発明に係る携帯用コンピュータは、各種の回路部品が実装されているメインボードと、このメインボードに固定された、記憶装置と拡張カードとを収納可能なホルダーとを備え、前記ホルダーは、前記メインボードに固定される装着部と、前記記憶装置を収納する第１収納部と、前記拡張カードを収納する第２収納部とを備え、前記第１収納部は、前記記憶装置を収納する空間を囲むように前記装着部の一方の側から水平方向に突出した、前記記憶装置の着脱をガイドする一対のアームを備え、前記第２収納部は、前記装着部の他方の側から水平方向に突出した、前記拡張カードを支える固定台と、この固定台に前記拡張カードを固定する固定具とを備えることを特徴とする。
【００１０】
ホルダーは、三つの辺を有する“コ”字状に形成されて、“コ”字状の中央辺は、ホルダーがメインボードに取り付けられるときの装着部の役割を果たすことを特徴とする。
【００１１】
携帯用コンピュータの装着部の両方には、メインボードの上面にボルトにより取り付けられるためのボルトホールが形成されることを特徴とする。
【００１２】
携帯用コンピュータのコネクタはメインボードの下面に電気的に連結され、メインボードにボルトにより取り付けられるためのボルトホールが形成された取付用ブラケットが形成されることを特徴とする。
【００１３】
携帯用コンピュータのメインボードには、ホルダーのボルトホール及びコネクタのボルトホールが同一直線上に位置されてボルトが貫通される貫通ホールが形成されることを特徴とする。
【００１４】
携帯用コンピュータの周辺装置は、ハードディスクドライブ、フロッピーディスクドライブ、バッテリー及びＣＤドライブの何れか一つであることを特徴とする。
【００１５】
本発明に係る携帯用コンピュータは、各種の回路部品が実装されるメインボードが内蔵され、周辺装置が収納されるホルダーを備え、そのホルダーには、拡張カードを固定させるための固定部が形成されることを特徴とする。
【００１６】
携帯用コンピュータのメインボードの上面には、拡張カードに接続されるコネクタが設置されることを特徴とする。
【００１７】
携帯用コンピュータの固定部は、ホルダーの一方側に固定台が連結され、固定台に拡張カードをねじ止めするための複数のねじホールが形成されることを特徴とする。
【００１８】
携帯用コンピュータの固定台には、各ねじホールが形成された金属材質の固定具がインサート成形されることを特徴とする。
【００１９】
携帯用コンピュータの拡張カードは、通信カードであることを特徴とする。
【００２０】
携帯用コンピュータの通信カードは、モデム、ＬＡＮ、無線ＬＡＮ及びＢｌｕｅｔｏｏｔｈモジュールのいずれか一つであることを特徴とする。
【００２１】
本発明に係る携帯用コンピュータは、本体に内蔵されて各種の回路部品が実装されるメインボードと、メインボードに取り付けられて拡張カードが接続されるコネクタと、メインボードの一方側に装着され、拡張カードがコネクタに接続された状態に固定する固定部とを含むことを特徴とする。
【００２２】
携帯用コンピュータの固定部は、所定長さを有するバー状に形成されてメインボードの上面に所定間隔を保って配置され、一端はメインボードに固定され、他端に拡張カードがねじ係合されるねじホールが形成されたことを特徴とする。
【００２３】
携帯用コンピュータの固定部は、二つが１組を成して一つの拡張カードが固定されることを特徴とする。
【００２４】
携帯用コンピュータの固定部は、メインボードの上面と所定間隔を保ってメインボードに固定される固定板の上面に形成され、固定板には、複数の拡張カードがそれぞれ挿入される複数の空間部が形成され、それら空間部の両方辺部には、各拡張カードを固定させるためのねじ溝部がそれぞれ形成されることを特徴とする。
【００２５】
携帯用コンピュータの固定板の四隅部にはメインボードに固定される取付部がそれぞれ下向きに曲げられて形成され、取付部は、固定板がメインボードの上に所定間隔を維持してねじで固定されるように形成されることを特徴とする。
【００２６】
携帯用コンピュータの固定部は、ハードディスク、光ディスク、フロッピーディスク及びバッテリーのいずれか一つを固定／着脱させる機能を追加行うことを特徴とする。
【００２７】
また、本発明に係るコンピュータ用周辺装置装着ホルダーは、メインボードに固定される装着部と、記憶装置を収納する第１収納部と、拡張カードを収納する第２収納部とを備え、前記第１収納部は、前記記憶装置を収納する空間を囲むように前記装着部の一方の側から水平方向に突出した、前記記憶装置の着脱をガイドする一対のアームを備え、前記第２収納部は、前記装着部の他方の側から水平方向に突出した、前記拡張カードを支える固定台と、この固定台に前記拡張カードを固定する固定具とを備えることを特徴とする。このホルダーは、ほぼ“コ”字状に三つの辺を有するように形成されて、データ格納装置が収納される空間部が相対する二つの辺の縁から下側に延して形成され、二つの辺を連結する中央辺が、メインボードに電気的に連結するコネクタと一緒にそのメインボードに装着される装着部としての役割を行うことを特徴とする。
【００２８】
取付部は、メインボードの上面に載せられ、コネクタに形成されたボルトホールの中心と同一直線上の中心を有するボルトホールが形成されたことを特徴とする。
【００２９】
メインボードには、ホルダーのボルトホールとコネクタのボルトホールとを取り付けるボルトが貫通される貫通ホールが形成されることを特徴とする。
【００３０】
データ格納装置は、ハードディスクドライブ、フロッピーディスクドライブ、バッテリー及びＣＤドライブのいずれか一つであることを特徴とする。
【００３１】
更に、本発明に係る携帯用コンピュータのデータ格納装置装着用ホルダーは、データ格納装置が収納される所定空間部が形成され、一方側にはメインボードに電気的に連結されるようにコネクタと一緒にメインボードに装着される装着部が形成され、装着部に拡張カードを固定させるための固定部が形成されることを特徴とする。
【００３２】
固定部は、装着部の一側面に固定台が連結され、その固定台に拡張カードをねじ止めする複数のねじホールが形成されることを特徴とする。
【００３３】
固定台には、ねじホールが形成された金属材質の固定具がインサート成形されることを特徴とする。
【００３４】
【発明の実施の形態】
以下、本発明の実施の形態に対し、図面を用いて説明する。
本発明に係る携帯用コンピュータの第１実施形態は、図１〜図４に示したように、各種情報を入力するためのキーボード２が装着される本体４と、ヒンジ６により本体４に開閉自在に係合されて各種の情報が表示されるディスプレイユニットとしてのＬＣＤ８が装着されたカバー１０とから構成されている。
【００３５】
そして、本体４は、キーボード２が装着されるデッキケース１２と、各種回路部品が実装されるメインボード１６が装着される下部ケース１４とがけつごうされている。本体４の一方の側壁面には記憶装置であるデータ格納装置１８が挿入される開口２０が形成され、開口２０に並んでＬＡＮカードのような通信用カードが挿入される拡張スロット２２が形成されている。データ格納装置１８はいうまでもなく本携帯用コンピュータの一つの周辺装置となるものである。
【００３６】
開口２０に隣接されたメインボード１６の一端部には、開口２０から挿入されたデータ格納装置１８を収納するホルダー２４が締結部材であるボルト３２により取り付けられている。本実施形態においては、ホルダー２４はデータ格納装置１８に電気的に接続されるコネクタ２６と一緒にメインボード１６にボルト３２により取り付けられている。
【００３７】
即ち、ホルダー２４は、図４に示したように、本ホルダーをメインボードに取り付ける装着部３４の両側から一対のアームを突出させた三つの辺を有する“コ”字状に形成されている。そのアームの先端部の解放されている辺からデータ格納装置１８が収納されるようになっている。装着部３４は開放された辺と対向するアームを連結する部分で構成されており、メインボード１６にボルト３２により本ホルダを取り付ける役を果たしている。装着部３４の両端からそれぞれアームとなる二つの辺が形成されている。それらの二つの辺は外側縁が下に曲げられて断面“Ｌ”字状とされ、二つの辺間に空間部２８を形成している。それぞれのアームの装着部３４から延びている水平な部分はデータ格納装置１８の着脱をガイドするためのガイド部となっている。この空間部２８にデータ格納装置１８が収納される収納部となる。ホルダー２４の両方の端部は下部ケース１４の底面により支持されるように構成されている。
【００３８】
装着部３４は、図２に示すように、メインボード１６の面に載せられてメインボード１６にボルト３２で固定されるようにボルトホール３０が形成されている。
【００３９】
コネクタ２６は、図３に示すように、後述する取付用ブラケット４０を介してボルト３２によりホルダー２４と一緒にメインボード１６に取り付けられている。コネクタ２６は、データ格納装置１８に装着されたコネクタ４４が接続されてコネクタどうしが電気的に連結される。更に、取付用ブラケット４０にはボルトホール３８が形成されて、そのボルトホール３８にボルト３２が挿入されてメインボード１６に取り付けられるようになっている。
【００４０】
このとき、ホルダー２４の装着部３４に形成されたボルトホール３０と、コネクタ２６の取付用ブラケット４０に形成されたボルトホール３８とは同一直線上に形成される。また、メインボード１６にはボルト３２が貫通される貫通ホール４２が形成されている。
【００４１】
データ格納装置１８としては、ハードディスクドライブが用いられるが、その他に、フロッピーディスクドライブ、バッテリー及びＣＤドライブなどとすることができる。また、携帯用コンピュータに装着される各種の周辺装置とすることもできる。
【００４２】
ホルダー２４及びコネクタ２６を組立てる方法は、先ず、ホルダー２４の装着部３４をメインボード１６の上に載せ、メインボード１６の下側に取付用ブラケット４０及びコネクタ２６を配置させた状態で、ボルト３２をコネクタ２６の取付用ブラケット４０のボルトホール３８とメインボード１６の貫通ホール４２を順次貫通させた後、ホルダー２４の装着部３４のボルトホール３０にねじ込むことで組立動作が終了する。
【００４３】
このように構成された本発明に係る携帯用コンピュータの第１実施形態を使用中にデータ格納装置１８を取替えようとする場合は、本体４の開口２０の内部に挿入されたホルダー２４に収納されているデータ格納装置１８を外側方向に引っ張るだけでよい。メインボード１６に装着されたコネクタ２６とデータ格納装置１８に装着されたコネクタ４４とが互いに分離されることでデータ格納装置１８を取り出すことができる。
【００４４】
その後、新しいデータ格納装置１８を開口２０からホルダー２４の内に挿入すると、データ格納装置１８がホルダー２４の内部に移動して、データ格納装置１８に装着されたコネクタ４４が、メインボード１６に装着されたコネクタ２６に係合されることで設置動作が終了する。
【００４５】
このようにコネクタ２６及びホルダー２４がメインボード１６に一緒にねじ止めされるため、コネクタ２６の装着方向とホルダー２４の装着方向とが相互一致するので、データ格納装置１８に装着されたコネクタ４４とメインボード１６に装着されたコネクタ２６との係合位置を正確に維持することができる。
【００４６】
本発明に係る携帯用コンピュータの第２実施形態として第２周辺装置である拡張カードが装着されるように形成された構造に対し、図５〜図７に基づいて説明する。第２実施形態の携帯用コンピュータは第１、第２の二つの周辺装置を有することになる。
【００４７】
本発明に係る携帯用コンピュータの第２実施形態は、図５に示したように、キーボード２が装着されたデッキケース１２とそのデッキケース１２に結合されてメインボード１６が装着された下部ケース１４とからなる本体４と、本体４とヒンジ６により係合されてＬＣＤ８が装着されたカバー１０とにより構成されている。本体４には、データ格納装置１８を収納するホルダー５０が装着され、そのホルダー５０に拡張カード５２を固定するための固定部５４が形成されている。
【００４８】
即ち、ホルダー５０は、先の例のホルダー２４の後方に拡張カード５２がねじ止めされ固定部５４を形成させた構造である。先の例と同様に、このホルダー５０もデータ格納装置１８が接続されるコネクタ２６と一緒にメインボード１６にボルト２６によりねじ止めされるようになっている。
【００４９】
固定部５４の構造は下記の通りである。すなわち、それぞれ異なる所定面積を有する固定台５６がホルダー５０の中心辺である装着部の両方側にそれぞれ一体的に一対のアームとして延び出すように形成され、それら固定台５６の内側の壁に拡張カード５２をねじ止めするための固定具５８が対向して装着されている。メインボード１６の表面には、固定台５６に固定される拡張カード５２に接続されるコネクタ６２が設けられている。これでカードとボードとが電気的に連結される。本実施形態ではホルダー５０は記憶装置１８を収納する収納部と、拡張カード５２を収納する収納部と二つの収納部を備えている。
【００５０】
上記のように固定台５６は、ホルダー５０の一辺である装着部の両側からそれぞれ水平方向に延びており、それら二つの固定台５６の先端内側には対向するように固定具５８がそれぞれ装着され、二つの固定台５６の間にコネクタ６２が形成されている。
【００５１】
各固定具５８は、金属材質により形成され、拡張カード５２がねじ６６によりねじ止めされるねじホール６０が内部に形成されている挿入体をインサート成形により固定台５６にそれぞれ形成されている。
【００５２】
ここで、拡張カード５２としては、通信カードを用いることが好ましく、例えば、モデム、ＬＡＮ、無線ＬＡＮ及びＢｌｕｅｔｏｏｔｈモジュールを使用することができる。
【００５３】
拡張カード５２をホルダー５０に組立てる過程は、メインボード１６にホルダー５０が装着された状態で、固定台５６の上面に拡張カード５２を位置させ、拡張カード５２をコネクタ６２に接続させた後、固定具５８の内部のねじホール６０にねじ６６をねじ込むことで拡張カード５２の組立が終了する。
【００５４】
一方、本発明に係る携帯用コンピュータの拡張カード装着構造の他の実施形態として、図８に示したように、メインボード１６の両側からメインボード１６から所定間隔離して拡張カード７０を固定する固定台７２を中央へ向けて延ばし、それに拡張カード７０を取り付けるようにしても良い。
【００５５】
固定台７２は、所定幅を有するバー状に形成されて、一端がメインボード１６の縁部にボルト７６により取り付けられ、他端には拡張カード７０をねじにより取り付けるためのねじホール７４が形成されている。このような固定台７２を、メインボード１６の両方側にそれぞれ対称的に配置し、二本を１組として複数組形成する。メインボード１６の面の中央部にはコネクタ７８が形成されて電気的に連結され、コネクタ７８の上面に拡張カード７０を取り付けるように構成されている。
【００５６】
このように構成された拡張カード装着構造の実施形態の組立過程においては、メインボード１６の上に装着される拡張カード７０の個数に比例して複数の固定台７２をメインボード１６の縁部に近接してボルト７６により取り付けた後、二つの固定台７２が対向する先端にそれぞれ形成されたねじホール７４の下方に拡張カード７０を挿入し、拡張カード７０をコネクタ７８に接続させた後、ねじにより取り付けることで拡張カード７０の組立が終了される。
【００５７】
また、本発明に係る拡張カード装着構造のその他の実施形態を図９に示す。この実施形態は図示のように、メインボード１６の上側にメインボード１６と所定間隔を保って複数の拡張カード８０がねじ止めされる固定板８２を配置する。その固定板８２は、所定厚さを有する長方形の平板状に形成されて、平板の四隅部にメインボード１６から所定間隔浮かしてメインボード１６に装着される取付部８４がそれぞれ下向きに折り曲げられて形成されている。固定板８２の面には、拡張カード８０が配置される矩形の空間部８６がそれぞれ形成されている。それらの空間部８６の相対する辺の中央部に互いに向き合うように突出した部分を形成させ、そこに各拡張カード８０をねじにより取り付けるためのねじホール部８８がそれぞれ形成されている。
【００５８】
取付部８４は、固定板８２がメインボード１６の上に所定間隔を保って固定されるように、固定板８２の四隅部から下向きに所定高さで折り曲げられた部分にボルトホール９０が形成された形状である。それらのボルトホール９０の対応するメインボード１６の各隅部には、取付部８４がボルトにより取り付けられるボルトホールを備えた形成部９２が上向きに所定高さに形成されている。
【００５９】
更に、メインボード１６の上面には、固定板８２上の拡張カード８０にそれぞれ接続される複数のコネクタ９４が形成されている。
【００６０】
そして、このように構成された拡張カード装着構造の組立過程においては、メインボード１６の上側に固定板８２を位置させてボルトにより取り付けると、固定板８２がメインボード１６と所定間隔を維持した状態でメインボード１６の上方に取り付けられる。
【００６１】
次いで、所望の個数だけの拡張カード８０を固定板８２の各空間部８６にそれぞれ配置し、それらの拡張カード８０を各コネクタ９４にそれぞれ接続させた後、ねじをねじホール部９２にねじ込むことで拡張カード８０の組立が終了する。
【００６２】
なお、拡張カード７０、８０としては、通信カードの他に、例えば、モデム、ＬＡＮ、無線ＬＡＮ及びＢｌｕｅｔｏｏｔｈモジュールを使用することができる。
【００６３】
【発明の効果】
以上説明したように、本発明に係るコンピュータ用周辺装置装着ホルダー及びそのホルダーを備えた携帯用コンピュータは、データ格納装置が収納されるホルダーをメインボードの上に載せ、データ格納装置が接続されるコネクタをメインボードの下に位置させた後、一つのボルトにより一緒に取り付けるように構成されているため、ホルダー及びコネクタの位置を正確に維持させて、データ格納装置に装着されたコネクタとメインボードに装着されたコネクタとの結合を正確に維持することができるという効果がある。
【００６４】
データ格納装置が装着されるホルダーの一方側に拡張カードが係合される固定部が形成されるため、メインボードに拡張カードを固定させるための別の工程が不必要になり、組立作業が簡便になると共に、メインボードに拡張カードを固定させるための別の空間も不必要になって、原価を低減し、生産性を向上し得るという効果がある。
【００６５】
また、メインボードの上に拡張カードを固定させるための固定台を設置するように構成されるため、従来よりも組立作業が簡便になると共に、従来のメインボードに拡張カードを固定するための空間が不必要になって、生産性を向上し得るという効果がある。
【図面の簡単な説明】
【図１】  本発明に係る携帯用コンピュータの第１実施形態を示した斜視図である。
【図２】  図１のII−II線断面図である。
【図３】  図２のIII−III線断面図である。
【図４】  図１のメインボードに取り付けられるホルダーの第１実施形態を示した一部斜視図である。
【図５】  本発明に係る携帯用コンピュータの第２実施形態として、拡張カードが装着される携帯用コンピュータの構造を示した斜視図である。
【図６】  図５のIV−IV線断面図である。
【図７】図５のメインボードに固定されるホルダーの第２実施形態を示した一部斜視図である。
【図８】  図５の拡張カード装着構造の他の実施形態を示した一部斜視図である。
【図９】  図５の拡張カード装着構造のその他の実施形態を示した一部斜視図である。
【図１０】  従来の携帯用コンピュータにデータ格納装置が装着される構造を示した分解斜視図である。
【符号の説明】
２：キーボード    ４：本体
６：ヒンジ    １０：カバー
１２：デッキケース   １４：下部ケース
１６：メインボード   １８：データ格納装置
２２：拡張スロット   ２４：ホルダー
２６：コネクタ    ２８：空間部
３０：ボルトホール   ３２：ボルト
３４：装着部    ３８：ボルトホール
４０：取付用ブラケット   ４２：貫通ホール
【図１】
0003850361.tif 000002
【図２】
0003850361.tif 000003
【図３】
0003850361.tif 000004
【図４】
0003850361.tif 000005
【図５】
0003850361.tif 000006
【図６】
0003850361.tif 000007
【図７】
0003850361.tif 000008
【図８】
0003850361.tif 000009
【図９】
0003850361.tif 000010
【図１０】
0003850361.tif 000011